(57)【要約】【課題】天井付近に配置される構成としていても、使用者からの視認性が良好であり、かつ、広告ポスターを容易に交換可能な広告表示具を提供すること。【解決手段】天井１との間に空間を設けて設置される自動販売機５の上方に配置される広告表示具Ｔ。上下方向に沿って湾曲された状態で配置されて背板と表板との間に広告ポスターを配置するための広告表示部２０と、天井１より下側に配置される支持部材に支持されるように配置されて広告表示部２０の下端２０ｂ側を取り付ける下側取付座と、天井１側に配置されて広告表示部２０の上端２０ａ側を取り付ける上側取付座と、を備える。広告表示部２０の下端２０ｂ側に、広告表示部２０を下側取付座に対して回動自在に連結させる蝶番２６が、配置され、広告表示部２０の上端２０ａ側に、治具を利用して上側取付座に対して着脱可能に構成される取付具２８が、配置される。【選択図】図１
0003198548.tif 000002
【実用新案登録請求の範囲】
【請求項１】
天井付近に配置される広告表示具であって、
合成樹脂製の板材から構成される背板と、合成樹脂製の透明の板材から構成される表板とを有し、上下方向に沿って湾曲された状態で配置されて、前記背板と前記表板との間に広告ポスターを配置するための広告表示部と、
前記天井より下側に配置される支持部材に支持されるように配置されて、前記広告表示部の下端側を取り付ける下側取付座と、
前記天井側において、前記下側取付座の前方となる位置に配置されて、前記広告表示部の上端側を取り付ける上側取付座と、
を、備え、
前記広告表示部の下端側に、前記広告表示部を前記下側取付座に対して回動自在に連結させる蝶番が、配置され、
前記広告表示部の上端側に、治具を利用して、前記上側取付座に対して着脱可能に構成される取付具が、配置されていることを特徴とする広告表示具。
【請求項２】
前記蝶番が、ダンパー機構を有していることを特徴とする請求項１に記載の広告表示具。
【請求項３】
前記取付具が、前記広告表示具の裏面側に配置されるとともに、前記治具を利用して水平面に略沿って回動可能とされる係止片部を、備え、
前記上側取付座が、水平面に略沿って配置されるとともに、前記係止片部の下面側を支持して前記係止片部を係止可能な係止面部を、備える構成とされ、
前記係止片部が、前記治具を利用した回動時に、前記係止面部との係止状態を解除可能に、構成されていることを特徴とする請求項１又は２に記載の広告表示具。
【請求項４】
前記天井との間に空間を設けるようにして設置される自動販売機の上方に配置される構成とされて、
前記支持部材が、前記自動販売機の上端側前面近傍の部位から、構成されていることを特徴とする請求項１乃至３のいずれか１項に記載の広告表示具。
【考案の詳細な説明】
【技術分野】
【０００１】
本考案は、天井付近に配置される広告表示具であって、特に、天井との間に空間を設けるようにして設置される自動販売機の上方に、好適に配置可能な広告表示具に関する。
【背景技術】
【０００２】
従来、自動販売機の上方に配置される広告表示具としては、略長方形状の枠体に支持させた広告体を、自動販売機の上面に直立させるように、配置させた構成のものがあった（例えば、特許文献１参照）。
【先行技術文献】
【特許文献】
【０００３】
【特許文献１】実用新案登録第３１６３０８３号
【考案の概要】
【考案が解決しようとする課題】
【０００４】
しかし、この従来の広告表示具では、広告体が、直立して自動販売機の上面から上方に突出するように配置されていることから、自動販売機自体の高さが高い場合には、広告体が使用者の目線より大きく上方に外れて、天井近くに配置されることとなり、使用者の目に届き難く、良好な視認効果を得難かった。また、この従来の広告表示具では、広告体を交換する際に、作業者が脚立等に上って作業する必要があり、交換作業に手間を要していた。
【０００５】
本考案は、上述の課題を解決するものであり、天井付近に配置される構成としていても、視認性が良好であり、かつ、広告ポスターを容易に交換可能な広告表示具を提供することを目的とする。
【課題を解決するための手段】
【０００６】
本考案に係る広告表示具は、天井付近に配置される広告表示具であって、
合成樹脂製の板材から構成される背板と、合成樹脂製の透明の板材から構成される表板とを有し、上下方向に沿って湾曲された状態で配置されて、背板と表板との間に広告ポスターを配置するための広告表示部と、
天井より下側に配置される支持部材に支持されるように配置されて、広告表示部の下端側を取り付ける下側取付座と、
天井側において、下側取付座の前方となる位置に配置されて、広告表示部の上端側を取り付ける上側取付座と、
を、備え、
広告表示部の下端側に、広告表示部を下側取付座に対して回動自在に連結させる蝶番が、配置され、
広告表示部の上端側に、治具を利用して、上側取付座に対して着脱可能に構成される取付具が、配置されていることを特徴とする。
【０００７】
本考案の広告表示具では、広告表示部が、上下方向に沿って湾曲しつつ、上端を前方に向けるように、支持部材から前上方に突出して、配置される構成である。そのため、屋内において天井付近に配置される構成であっても、広告表示部における背板と表板との間に配置される広告ポスターが、屋内にいる人の目に止まりやすく、良好な視認効果を得られる。また、本考案の広告表示具では、広告表示部は、下端側を、支持部材に支持されるように配置される下側取付座に対して、回動可能に、連結されており、上端側を、治具を用いて着脱可能に構成される取付具を利用して、天井側に配置される上側取付座に取り付けられている。そのため、本考案の広告表示具では、広告表示部の上端側を天井側に取り付ける構成であっても、治具を利用すれば、簡単に、広告表示部の上端側の取付具を、上側取付座から外すことができ、その後、下端側を回転中心として、上端側を下方に向けるように、広告表示部を回転移動させることができて、表板と背板との間に挟まれている広告ポスターを容易に交換することができる。また、広告ポスターの交換後には、取付具を治具によって押し上げるようにして、広告表示部を、上端側を上方に向けるように回転移動させ、そのまま、治具を用いて、取付具を上側取付座に取り付ければ、広告表示部の上端側を、上側取付座に取り付けることができる。その結果、本考案の広告表示具では、脚立等を用いなくとも、広告ポスターを容易に交換することができる。
【０００８】
したがって、本考案の広告表示具では、天井付近に配置される構成としていても、視認性が良好であり、かつ、広告ポスターを容易に交換することができる。
【０００９】
また、本考案の広告表示具において、蝶番を、ダンパー機構を有する構成とすれば、取付具の上側取付座からの取り外し後に、広告表示部全体が、急激に落下することを抑制できる。そのため、取付具の上側取付座からの取り外し後に、広告表示部を手や治具等によって支持しなくともよく、広告ポスターの交換作業が一層容易となって、好ましい。
【００１０】
さらに、本考案の広告表示具において、取付具を、広告表示具の裏面側に配置されるとともに、治具を利用して水平面に略沿って回動可能とされる係止片部を備える構成とし、
上側取付座を、水平面に略沿って配置されるとともに、係止片部の下面側を支持して係止片部を係止可能な係止面部を備える構成として、
係止片部を、治具を利用した回動時に、係止面部との係止状態を解除可能に、構成することが、好ましい。
【００１１】
広告表示具を上記構成とすれば、治具を取付具に差し込んで、係止片部を水平面に略沿って回転させれば、係止片部と係止面部との係止状態を解除させることができ、また、再度係止片部を係止面部に係止させる際にも、治具を用いて、係止片部を水平面に略沿って逆回転させればよく、取付具の上側取付座への着脱が容易である。
【００１２】
さらにまた、上記構成の広告表示具を、天井との間に空間を設けるようにして設置される自動販売機の上方に配置させる構成として、
支持部材を、自動販売機の上端側前面近傍の部位から、構成してもよい。
【００１３】
広告表示具を上記構成とすれば、広告表示部が、上下方向に沿って湾曲しつつ、上端を前方に向けるように、自動販売機の前面上端側から前上方に突出して、配置されることとなる。そのため、自動販売機の上方に配置される構成であっても、広告ポスターが、使用者の目に止まりやすく、良好な視認効果を得られる。
【図面の簡単な説明】
【００１４】
【図１】本考案の一実施形態である広告表示具を取り付けた状態の自動販売機の斜視図である。
【図２】実施形態の広告表示具の正面図である。
【図３】実施形態の広告表示具の側面図である。
【図４】実施形態の広告表示具において蝶番の部位を示す部分拡大側面図である。
【図５】図２のＶ−Ｖ部位の拡大断面図である。
【図６】実施形態の広告表示具における取付ブラケット部の平面図である。
【図７】図６の取付ブラケット部の正面図である。
【図８】実施形態の広告表示具において、取付具の部位を示す部分拡大平面図であり、係止片部の係止壁部にロックされた状態とロックを解除された状態を示す図である。
【図９】実施形態の広告表示具において、取付具の部位を示す部分拡大側面図であり、係止片部の係止壁部にロックされた状態とロックを解除された状態を示す図である。
【図１０】実施形態の広告表示具において、取付具の部位を示す部分拡大底面図である。
【図１１】実施形態の広告表示具において、広告表示部を上端を下方に向けるように回転移動させた状態を示す側面図である。
【図１２】本考案の他の形態の広告表示具において、取付具の部位を示す部分拡大平面図であり、係止片部の係止壁部にロックされた状態とロックを解除された状態を示す図である。
【図１３】他の形態の広告表示具において、取付具の部位を示す部分拡大側面図であり、係止片部の係止壁部にロックされた状態とロックを解除された状態を示す図である。
【考案を実施するための形態】
【００１５】
以下、本考案の一実施形態を図面に基づいて説明する。実施形態では、図１，３に示すように、屋内空間Ｒにおいて、天井１との間に空間を設けるようにして設置される自動販売機５の上方に配置される広告表示具Ｔを、例に採り説明する。なお、実施形態では、上下・前後・左右の方向は、特に断らない限り、自動販売機５を基準とするもので、自動販売機５の前面５ｂ側を前方としている。
【００１６】
詳細には、実施形態の広告表示具Ｔは、図１，３に示すように、上側を側壁２によって塞がれ、前面５ｂをこの側壁２と略面一とするように設置される自動販売機５の上方の領域に、配置されている。広告表示具Ｔは、図２，３に示すように、広告表示部２０と、広告表示部２０を自動販売機５の上側の領域に取り付ける取付ブラケット部８と、広告表示部２０の上端２０ａ側を取付ブラケット部８の後述する上側取付座１６に取り付ける取付具２８と、広告表示部２０の下端２０ｂ側を取付ブラケット部８の後述する下側取付座１４に対して回動自在に連結させる蝶番２６と、を備えている。
【００１７】
取付ブラケット部８は、天井１と側壁２とに略沿って配置されるように、側方から見て略Ｌ字形状とされるもので（図３参照）、実施形態の場合、図６，７に示すように、断面形状を扁平な略コ字形状として、長穴９ａを連続的に配置させた板金製のチャンネル素材９を、適宜組み合わせ、溶接やビス止め等させることにより、構成されている。詳細には、取付ブラケット部８は、左右方向側で離隔して配置される略Ｌ字状の外枠１０と、外枠１０間を連結する複数の連結杆１１と、を有している。また、取付ブラケット部８は、側壁２に沿って配置される側壁側部位１３と、天井１に沿って配置される天井側部位１５と、を備えている。連結杆１１は、側壁側部位１３と天井側部位１５とにおいて、それぞれ、上下方向側あるいは前後方向側の端部近傍を除いて３箇所ずつに、配置されている。そして、この取付ブラケット部８は、外枠１０及び連結杆１１を構成するチャンネル素材９に形成される長穴９ａを挿通可能な図示しないビス等を利用して、天井１及び側壁２に、直接、固定されている。すなわち、実施形態では、天井１より下側に配置される側壁２において、自動販売機５の上端側前面近傍の部位が、取付ブラケット部８の下側取付座１４を支持する支持部材を構成することとなる。また、実施形態の取付ブラケット部８は、図３に示すように天井側部位１５の前後の長さ寸法を、側壁側部位１３の上下の長さ寸法より大きくするように、構成されている。そして、側壁側部位１３の下端１３ａ側は、自動販売機５の上端５ａに近接して配置されている。
【００１８】
また、側壁側部位１３の下端１３ａ側には、広告表示部２０の下端２０ｂ側を取り付ける下側取付座１４が、配置されている。実施形態の場合、下側取付座１４は、図４〜６に示すように、側壁側部位１３の下端１３ａ側前面を塞ぐように、左右の全域にわたって配置される平板状の板金素材から構成されている。この下側取付座１４は、後述する蝶番２６，２６を介して、広告表示部２０の下端２０ｂ側を回動自在に連結させる部位である。天井側部位１５の前端１５ａ側には、広告表示部２０の上端２０ａ側を取り付ける上側取付座１６が、配置されている。実施形態の場合、上側取付座１６は、図６，９に示すように、断面略Ｌ字形状とした長尺状の板金素材を、左右の全域にわたって配置させて構成されるもので、天井側部位１５を構成する外枠１０より僅かに下方となる位置において、水平面に略沿って配置されて、上面側の部位によって、広告表示部２０の上端２０ａ側に配置される取付具２８の係止片部３０を係止可能とする係止壁部１７を、備えている。すなわち、この係止壁部１７の上面１７ａが、係止片部３０を係止する係止面部を構成することとなる。この係止壁部１７も、左右の全域にわたって配置されている。実施形態の場合、上側取付座１６（係止壁部１７）は、取付具２８の前側に隣接して、配設されている。
【００１９】
広告表示部２０は、図４に示すように、合成樹脂製の板材から構成される背板２１と、合成樹脂製の透明の板材から構成される表板２３と、背板２１及び表板２３の周縁を支持する枠体部２４と、を備える構成とされて、周縁を枠体部２４に支持された背板２１と表板２３とで挟持させるようにして、背板２１と表板２３との間に広告ポスターＣを配置させる構成である。
【００２０】
背板２１及び表板２３は、外形形状を略同一として、実施形態の場合、上下に幅広の略長方形状とされている。また、実施形態の場合、背板２１及び表板２３は、可撓性を有して構成されて、平板状の部材を撓ませることにより、上下方向に沿って湾曲して、配置されている。背板２１及び表板２３は、設置時に容易に撓んで、かつ、割れを抑制可能なように、厚さを、１〜３ｍｍ程度として、適度な剛性と可撓性を有する材料から、形成されている。具体的には、実施形態の場合、背板２１は、厚さを２ｍｍ程度に設定され、表板２３は、厚さを１ｍｍ程度に設定されている。さらに、実施形態の場合、背板２１はアクリル樹脂から形成され、表板２３は、ＰＥＴ樹脂から、形成されている。表板２３は、詳細には、実施形態の場合、広告ポスターＣを表示可能な透明状とされている。また、背板２１は、白色の板材から構成されている。なお、背板２１も、透明の板材から構成してもよい。広告ポスターＣとしては、紙や合成樹脂製のフィルム等、背板２１及び表板２３と共に撓み可能なシート体から構成されて、表面に広告を印刷される汎用のものを使用できる。
【００２１】
枠体部２４は、アルミニウム製またはアルミニウム合金製とされるもので、断面略楕円状とされる中空状として、背板２１及び表板２３の外周縁２１ａ，２３ａを全周にわたって覆うように、連続的に形成される略長方形状とされている。枠体部２４の内縁側には、間に広告ポスターＣを挟持させて重ねられた状態の背板２１と表板２３との外周縁２１ａ，２３ａを挟持可能な凹溝２５が、連続的に、全周にわたって形成されている（図５参照）。実施形態の場合、枠体部２４は、広告表示部２０の上端２０ａ側に配置される上側部位２４ａを、左側に配置される左側部位２４ｃ、及び、右側に配置される右側部位２４ｄに対して、着脱可能に構成されており、上側部位２４ａを、左側部位２４ｃ，右側部位２４ｄから取り外して、広告ポスターＣを交換する構成である。
【００２２】
そして、実施形態の広告表示部２０では、広告表示部２０の上端２０ａ側を上側取付座１６に取り付ける取付具２８と、広告表示部２０の下端２０ｂ側を下側取付座１４に取り付ける蝶番２６と、は、それぞれ、図４，９に示すように、枠体部２４における上側部位２４ａと下側部位２４ｂとの裏面側に、配設されている。
【００２３】
広告表示部２０の下端２０ｂ側を取付ブラケット部８の下側取付座１４に対して回動自在に連結させる蝶番２６は、実施形態の場合、図２に示すように、枠体部２４の下側部位２４ｂにおける左右両端側の２箇所に、配置されている。蝶番２６は、図４に示すように、一端側を枠体部２４の下側部位２４ｂにおける裏面側に連結され、他端側を下側取付座１４に連結されて、枠体部２４（広告表示部２０）を、下側取付座１４に対して回動自在に連結させている。また、この蝶番２６は、ダンパー機構を有している。具体的には、蝶番２６は、開き方向側にトルクを発生させるトルクヒンジ機構を有している。そして、広告ポスターＣの交換時において、広告表示部２０の上端２０ａ側を上側取付座１６から取り外して、蝶番２６を開かせつつ広告表示部２０の上端２０ａ側を下方移動させる際に、広告表示部２０は、自重によって下降移動せず、また、蝶番２６は、任意の位置で広告表示部２０の開き状態を停止可能とされている。また、実施形態の場合、蝶番２６は、回動範囲を、広告表示部２０の下端２０ｂ側を略水平面に沿って配置可能な程度に、設定されている（図１１参照）。
【００２４】
広告表示部２０の上端２０ａ側を取付ブラケット部８の上側取付座１６に取り付ける取付具２８は、実施形態の場合、図２に示すように、枠体部２４の上側部位２４ａにおける左右の略中央となる１箇所に配置されている。取付具２８は、実施形態の場合、図８，９に示すように、上側部位２４ａの裏面側において、上端から上方（上側取付座１６への取付時における前方）に突出するように形成される基部２９と、基部２９に回動可能に軸支される係止片部３０と、を備えている。
【００２５】
基部２９は、板金素材からなる略長方形板状として、元部２９ａ側を表板２３の裏面側に連結されるようにして、表板２３の上端２３ａから突出するように配置されている。また、実施形態の場合、基部２９は、係止片部３０を係止壁部１７に係止させた状態で、上下方向側から見て、先端２９ｂを係止壁部１７の後縁近傍に位置させるように、構成されている（図８参照）。係止片部３０は、基部２９の裏面側（上側取付座１６への取付時における上面側）に突出して配置されるもので、基部２９の裏面に沿って配置される長尺状として、元部３０ａ側を、回動軸部３１によって、基部２９に対して回動可能に軸支されている。実施形態の場合、係止片部３０は、図８のＡ及び図９のＡに示すように、先端３０ｂを上方（上側取付座１６への取り付け時における前方）に向けるように、前後方向（広告表示部２０の長手方向）に沿って配置させた状態を、ロック位置Ｐ１として、下面３０ｃ側を、前方に配置される係止壁部１７の上面１７ａに係止され、図８のＢ及び図９のＢに示すように、回動させて先端３０ｂを右方に向けるように、左右方向（広告表示部２０の短手方向）に沿って配置させた状態を、ロック解除位置Ｐ２として、係止壁部１７との係止を解除されることとなる。この係止片部３０は、長さ寸法を、ロック位置Ｐ１において、基部２９の先端２９ｂから突出して、下面３０ｃ側を係止壁部１７の上面１７ａ（係止面）に係止可能な寸法に、設定されている。係止片部３０の元部３０ａ側を基部２９に連結させる回動軸部３１は、元部側を、基部２９の表面（下面）から露出させるように構成され、この元部側の下面側に、治具Ｊの先端側に形成される差込片部Ｊａを挿入可能な凹部３１ａを、有している。凹部３１ａは、図１０に示すように、平板状の差込片部Ｊａを挿入可能に、係止軸部３１の下面側を凹溝状に凹ませて構成されている。そして、係止片部３０は、治具Ｊの先端側に形成される差込片部Ｊａを凹部３１ａに差し込んで治具Ｊを軸方向に沿って回動させた際に、この治具Ｊの回動に伴って、基部２９に略沿って（上側取付座１６への取り付け時における水平面に略沿って）回動可能に、構成されている。なお、実施形態の場合、係止片部３０は、ロック位置Ｐ１とロック解除位置Ｐ２との間でのみ、回動可能に構成されており、図示しないストッパによって、それ以上の回転を規制されている。
【００２６】
治具Ｊは、天井１側に配置される上側取付座１６に取り付けられる取付具２８を円滑に操作可能に長尺状とされるもので、図１に示すように、先端側に、略平板状の差込片部を有し、先端近傍における差込片部Ｊａより元部側の位置に、治具Ｊと略直交するように突出する突状部Ｊｂを、配設させて構成されている。この突状部Ｊｂは、丸棒状として構成されて、広告ポスターＣの交換時に、広告表示部２０の上下動に使用されるものである。
【００２７】
実施形態の広告表示具Ｔでは、広告ポスターＣの交換時に、治具Ｊの先端側に形成される差込片部Ｊａを、取付具２８の基部２９から露出している回動軸部３１の凹部３１ａに差し込んだ状態で、治具Ｊを手等を利用して軸方向に沿って回動させ、係止壁部１７に係止されている取付具２８の係止片部３０を、先端３０ｂを右方に向けるように回転させれば、図８のＢ、図９のＢ、及び、図１０の二点鎖線に示すように、係止片部３０がロック解除位置Ｐ２に移動して、係止片部３０と係止壁部１７との係止状態が解除されることとなる。その後、差込片部Ｊａを凹部３１ａから外し、治具Ｊに形成される突状部Ｊｂを、枠体部２４における上端側の領域（上側部位２４ａや、左側部位２４ｃ，右側部位２４ｄの上側の領域）に引っ掛けつつ、治具Ｊを下方移動させれば（図３の二点鎖線参照）、広告表示部２０を突状部Ｊｂにより押し下げることができて、広告表示部２０が、下端２０ｂ側に配置される蝶番２６，２６を回転中心として、上端２０ａ側を下方に向けるように回転移動してくることとなる。このとき、蝶番２６は、開き方向側にトルクを発生させるトルクヒンジ機構を有していることから、係止片部３０と係止壁部１７との係止状態を解除させた後に、広告表示部２０は、自重によって下降移動せず、治具Ｊの突状部Ｊｂを用いて引き下げなければ、下降移動しない。そして、図１１に示すように、広告表示部２０を下降移動させたならば、枠体部２４の上側部位２４ａを左側部位２４ｃ，右側部位２４ｄから取り外して、背板２１と表板２３とを広告ポスターＣごと、枠体部２４から引き抜く。そして、広告ポスターＣを交換し、広告ポスターＣを挟んだ状態の背板２１と表板２３との外周縁２１ａ，２３ａを、凹溝２５に挿入させるようにして、広告ポスターＣ、背板２１、及び、表板２３を枠体部２４に収納させ、上側部位２４ａを、左側部位２４ｃ，右側部位２４ｄに取り付ける。次いで、治具Ｊの突状部Ｊｂを利用して、広告表示部２０を、上端２０ａ側を上昇移動させるように押し上げて、広告表示部２０を回転移動させ、係止片部３０を係止壁部１７より上方に位置させるようにして、広告表示部２０の上昇移動が完了したら、差込片部Ｊａを凹部３１ａに挿入させた状態で、治具Ｊを逆方向側に回動させて、取付具２８の係止片部３０を、先端３０ｂを前方に向けるように回転させれば、図８のＡ及び図９のＡに示すように、係止片部３０がロック位置Ｐ１に配置されることとなって、係止壁部１７と係止されることとなり、広告ポスターＣの交換作業を終了させることができる。
【００２８】
そして、実施形態の広告表示具Ｔでは、広告表示部２０が、上下方向に沿って湾曲しつつ、上端２０ａを前方に向けるように、支持部材としての側壁２における自動販売機５の上端側の部位から前上方に突出して、配置される構成である。そのため、屋内空間Ｒにおいて天井１付近に配置される構成であっても、広告表示部２０における背板２１と表板２３との間に配置される広告ポスターＣが、屋内にいる人の目に止まりやすく、良好な視認効果を得られる。また、実施形態の広告表示具Ｔでは、広告表示部２０は、下端２０ｂ側を、支持部材としての側壁２に支持されるように配置される下側取付座１４に対して、回動可能に、連結されており、上端２０ａ側を、治具Ｊを用いて着脱可能に構成される取付具２８を利用して、天井１側に配置される上側取付座１６に取り付けられている。そのため、実施形態の広告表示具Ｔでは、広告表示部２０の上端２０ａ側を天井１側に取り付ける構成であっても、治具Ｊを利用すれば、簡単に、広告表示部２０の上端２０ａ側の取付具２８を、上側取付座１６から外すことができ、その後、下端２０ｂ側を回転中心として、上端２０ａ側を下方に向けるように、広告表示部２０を回転移動させることができて、表板２３と背板２１との間に挟まれている広告ポスターＣを容易に交換することができる。また、広告ポスターＣの交換後には、治具Ｊによって押し上げるようにして、広告表示部２０を、上端２０ａ側を上方に向けるように回転移動させ、そのまま、治具Ｊを用いて、取付具２８を上側取付座１６に取り付ければ、広告表示部２０の上端２０ａ側を、上側取付座１６に取り付けることができる。その結果、実施形態の広告表示具Ｔでは、脚立等を用いなくとも、広告ポスターＣを容易に交換することができる。
【００２９】
したがって、実施形態の広告表示具Ｔでは、天井１付近に配置される構成としていても、視認性が良好であり、かつ、広告ポスターＣを容易に交換することができる。
【００３０】
また、実施形態の広告表示具Ｔでは、広告表示部２０の下端２０ｂ側を回動自在に下側取付座１４に取り付ける蝶番２６を、ダンパー機構を有する構成としていることから、取付具２８の上側取付座１６からの取り外し後に、広告表示部２０全体が、急激に落下することを抑制できる。そのため、取付具２８の上側取付座１６からの取り外し後に、広告表示部２０を手や治具Ｊ等によって支持しなくともよく、広告ポスターＣの交換作業が一層容易となる。特に、実施形態の広告表示具Ｔでは、蝶番２６が、開き方向側にトルクを発生させるトルクヒンジ機構を有して、任意の位置で広告表示部２０の開き状態を停止可能とされている。そして、広告ポスターＣの交換時において、広告表示部２０の上端２０ａ側を上側取付座１６から取り外して、蝶番２６を開かせつつ広告表示部２０の上端２０ａ側を下方移動させる際に、広告表示部２０が、自重によって下降移動することを的確に抑制できる。そのため、広告ポスターＣの交換時に、広告表示部２０の下降移動を任意の位置で的確に止めることができ、また、その後も自重により下降移動することを的確に防止できることから、広告ポスターＣの交換作業が一層容易となる。なお、このような点を考慮しなければ、蝶番として、ダンパー機構を有しない構成のものを使用してもよく、このような蝶番をしようする場合にも、治具によって取付具を支持させつつ、広告表示部を下降移動させれば、広告表示部の急激な落下を抑制して、広告ポスターを簡便に交換することができる。
【００３１】
さらに、実施形態の広告表示具Ｔでは、取付具２８を、治具Ｊを利用して水平面に略沿って回動可能とされる係止片部３０を備える構成として、治具Ｊを利用した回動時に、上側取付座１６に形成される係止面部（係止壁部１７の上面１７ａ）との係止状態を解除可能に、構成している。そのため、実施形態の広告表示具Ｔでは、治具Ｊを取付具２８に形成される凹部３１ａに差し込んで、係止片部３０を水平面に略沿って回転させれば、係止片部３０と係止面部（係止壁部１７の上面１７ａ）との係止状態を解除させることができ、また、再度係止片部３０を係止面部（係止壁部１７の上面１７ａ）に係止させる際にも、治具Ｊを用いて係止片部３０を水平面に略沿って逆回転させればよく、取付具２８の上側取付座１６への着脱が容易である。また、実施形態では、上側取付座１６を取付具２８の前側に配設させているが、図１２，１３に示すように、上側取付座１６Ａを、広告表示部２０Ａの上端側に配置される取付具２８Ａの後側に配置させて、係止片部３０Ａを、図１２のＡ及び図１３のＡに示すように、先端３０ｂを後方に向けるように配置させた状態を、ロック位置Ｐ３として、上側取付座１６Ａに係止させる構成とし、図１２のＢ及び図１２のＢに示すように、回動させて先端３０ｂを右方に向けるように配置させた状態を、ロック解除位置Ｐ４として、上側取付座１６Ａとの係止を解除させる構成としてもよい。また、この上側取付座１６Ａは、図１２に示すように、取付具２８Ａの配置位置に部分的に配置されるもので、図示しないボルト等の取付手段を用いて、天井１に直接取り付けられる構成である（図１３参照）。このような構成では、取付具２８Ａを取り付けた状態では、上側取付座１６Ａの下方が広告表示部２０Ａ自体に覆われることとなり、屋内にいる人が上側取付座１６Ａを目視し難く、見栄えが良好である。
【００３２】
なお、このような点を考慮しなければ、取付具として、係止片部を回転させる構成ではなく、例えば、治具を取付具に押し込むように移動させた際に、上側取付座との取付状態を解除させ、再度押し込めば、取付具を上側取付座に取り付けることができるような、構成としてもよい。
【００３３】
さらにまた、実施形態の広告表示具Ｔでは、天井１との間に空間を設けるようにして設置される自動販売機５の上方に配置させる構成として、下側取付座１４を、自動販売機５の前面上端側に配置させる構成としていることから、広告表示部２０が、上下方向に沿って湾曲しつつ、上端２０ａを前方に向けるように、自動販売機５の前面上端側から前上方に突出して、配置されることとなる。そのため、自動販売機５の上方に配置される構成であっても、広告ポスターＣが、使用者の目に止まりやすく、良好な視認効果を得られる。
【００３４】
なお、実施形態の広告表示具Ｔでは、自動販売機５の上方に配置される支持部材としての側壁２と、天井１と、に、取付ブラケット部８を取り付け、この取付ブラケット部８を使用して広告表示部２０を自動販売機５の上方に取り付けている構成であるが、取付ブラケット部を用いず、自動販売機の上端側前面近傍の部位を支持部材として、自動販売機に、直接、下側取付座を設け、天井に直接上側取付座を設けるようにして、広告表示部を自動販売機の上方に取り付ける構成としてもよい。また、本考案の広告表示具は、自動販売機の上方に配置させなくともよく、例えば、スーパーやドラッグストア等において、商品陳列棚の上方に配置させてもよく、さらには、下に何も設置されていない場所において、天井と側壁との交差部位付近に、配置させる構成としてもよい。さらに、本考案の広告表示具は、屋内空間に限られず、例えば、上方を庇（天井）に覆われるようにして外部空間に設置される自動販売機の上方に、設置してもよい。
【符号の説明】
【００３５】
１…天井、２…側壁（支持部材）、５…自動販売機、５ａ…上端、５ｂ…前面、１４…下側取付座、１６，１６Ａ…上側取付座、１７…係止壁部、１７ａ…上面（係止面部）、２０…広告表示部、２０ａ…上端、２０ｂ…下端、２１…背板、２１ａ…外周縁、２３…表板、２３ａ…外周縁、２４…枠体部、２６…蝶番、２８，２８Ａ…取付具、３０，３０Ａ…係止片部、Ｃ…広告ポスター、Ｊ…治具、Ｒ…屋内空間、Ｔ…広告表示具。
【図１】
0003198548.tif 000003
【図２】
0003198548.tif 000004
【図３】
0003198548.tif 000005
【図４】
0003198548.tif 000006
【図５】
0003198548.tif 000007
【図６】
0003198548.tif 000008
【図７】
0003198548.tif 000009
【図８】
0003198548.tif 000010
【図９】
0003198548.tif 000011
【図１０】
0003198548.tif 000012
【図１１】
0003198548.tif 000013
【図１２】
0003198548.tif 000014
【図１３】
0003198548.tif 000015